(57)【要約】【課題】光漏れを抑制する。【解決手段】第１側面と、前記第１側面と向かい合う第２側面と、を有し、前記第２側面には反射材が設けられ、前記第１側面には前記反射材が設けられず、前記第２側面の表面粗さは、前記第１側面の表面粗さより大きい、カバーガラス。【選択図】図３
2020177731.tif 000002
【特許請求の範囲】
【請求項１】
第１側面と、前記第１側面と向かい合う第２側面と、を有し、
前記第２側面には反射材が設けられ、
前記第１側面には前記反射材が設けられず、
前記第２側面の表面粗さは、前記第１側面の表面粗さより大きい、カバーガラス。
【請求項２】
さらに、互いに向かい合う第３側面及び第４側面を有し、
前記第３側面及び前記第４側面の各々の表面粗さは、前記第２側面の表面粗さより小さく、
前記第３側面及び前記第４側面には、前記反射材が設けられていない、請求項１に記載のカバーガラス。
【請求項３】
前記第１側面は、０．３μｍ以下の表面粗さを有し、
前記第２側面は、０．３μｍより大きい表面粗さを有している、請求項１または２に記載のカバーガラス。
【請求項４】
前記第１側面は、１０％未満のヘイズ値を有し、
前記第２側面は、１０％以上のヘイズ値を有している、請求項１乃至３のいずれか１項に記載のカバーガラス。
【請求項５】
発光素子と、
前記発光素子と対向する第１側面と、前記第１側面と向かい合う第２側面と、を有するカバーガラスと、
高分子分散液晶層を備えた表示パネルと、
前記カバーガラスと前記表示パネルとを接着する接着層と、を備え、
前記第２側面の表面粗さは、前記第１側面の表面粗さより大きい、表示装置。
【請求項６】
前記接着層の屈折率は、前記カバーガラスの屈折率より小さい、請求項５に記載の表示装置。
【請求項７】
さらに、前記第２側面に設けられた反射材を備えている、請求項５または６に記載の表示装置。
【請求項８】
前記反射材は、前記接着層に接していない、請求項７に記載の表示装置。
【請求項９】
前記第１側面は、０．３μｍ以下の表面粗さを有し、
前記第２側面は、０．３μｍより大きい表面粗さを有している、請求項５乃至８のいずれか１項に記載の表示装置。
【請求項１０】
前記第１側面は、１０％未満のヘイズ値を有し、
前記第２側面は、１０％以上のヘイズ値を有している、請求項５乃至９のいずれか１項に記載の表示装置。
【発明の詳細な説明】
【技術分野】
【０００１】
本発明の実施形態は、カバーガラス及び表示装置に関する。
【背景技術】
【０００２】
近年、光に対して散乱性あるいは透明性を呈する光変調素子を備えた照明装置が種々提案されている。一例では、光変調素子は、光変調層として高分子分散液晶層を備えている。光変調素子は、導光板の背後に配置され、導光板の側面から入射した光を散乱するものである。  
発光素子から出射された光は、導光板の側面に入射し、この側面の反対側から導光板の外部に漏れ出てしまう。このため、光の利用効率を改善することが要求されている。
【先行技術文献】
【特許文献】
【０００３】
【特許文献１】特開２０１０−９２６８２号公報
【特許文献２】特開２０１６−５７３３８号公報
【発明の概要】
【発明が解決しようとする課題】
【０００４】
本実施形態の目的は、光漏れを抑制することが可能なカバーガラス及び表示装置を提供することにある。
【課題を解決するための手段】
【０００５】
本実施形態によれば、
第１側面と、前記第１側面と向かい合う第２側面と、を有し、前記第２側面には反射材が設けられ、前記第１側面には前記反射材が設けられず、前記第２側面の表面粗さは、前記第１側面の表面粗さより大きい、カバーガラスが提供される。  
本実施形態によれば、
発光素子と、前記発光素子と対向する第１側面と、前記第１側面と向かい合う第２側面と、を有するカバーガラスと、高分子分散液晶層を備えた表示パネルと、前記カバーガラスと前記表示パネルとを接着する接着層と、を備え、前記第２側面の表面粗さは、前記第１側面の表面粗さより大きい、表示装置が提供される。
【図面の簡単な説明】
【０００６】
【図１】図１は、本実施形態の表示装置ＤＳＰの一構成例を示す平面図である。
【図２】図２は、図１に示した表示パネルＰＮＬの一構成例を示す断面図である。
【図３】図３は、本実施形態の表示装置ＤＳＰに適用可能なカバーガラス３０及び発光モジュール３を示す平面図である。
【図４】図４は、本実施形態の表示装置ＤＳＰの一構成例を示す断面図である。
【図５】図５は、第２側面３０Ｄの一構成例を示す図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態の表示装置ＤＳＰの一構成例を示す平面図である。一例では、第１方向Ｘ、第２方向Ｙ、及び、第３方向Ｚは、互いに直交しているが、９０度以外の角度で交差していてもよい。第１方向Ｘ及び第２方向Ｙは、表示装置ＤＳＰを構成する基板の主面と平行な方向に相当し、第３方向Ｚは、表示装置ＤＳＰの厚さ方向に相当する。本実施形態においては、第１方向Ｘ及び第２方向Ｙで規定されるＸ−Ｙ平面を見ることを平面視という。
【０００９】
表示装置ＤＳＰは、高分子分散液晶層（以下、単に液晶層ＬＣと称する）を備えた表示パネルＰＮＬと、配線基板１と、ＩＣチップ２と、発光モジュール３と、を備えている。
【００１０】
表示パネルＰＮＬは、第１基板ＳＵＢ１と、第２基板ＳＵＢ２と、液晶層ＬＣと、シールＳＥと、を備えている。第１基板ＳＵＢ１及び第２基板ＳＵＢ２は、平面視で、重畳している。第１基板ＳＵＢ１及び第２基板ＳＵＢ２は、シールＳＥによって接着されている。液晶層ＬＣは、第１基板ＳＵＢ１と第２基板ＳＵＢ２との間に保持され、シールＳＥによって封止されている。
【００１１】
図１において拡大して模式的に示すように、液晶層ＬＣは、ポリマー３１と、液晶分子３２と、を含んでいる。一例では、ポリマー３１は、液晶性ポリマーである。ポリマー３１は、第１方向Ｘに沿って延出した筋状に形成され、第２方向Ｙに並んでいる。液晶分子３２は、ポリマー３１の隙間に分散され、その長軸が第１方向Ｘに沿うように配向される。ポリマー３１及び液晶分子３２の各々は、光学異方性あるいは屈折率異方性を有している。ポリマー３１の電界に対する応答性は、液晶分子３２の電界に対する応答性より低い。  
一例では、ポリマー３１の配向方向は、電界の有無にかかわらずほとんど変化しない。一方、液晶分子３２の配向方向は、液晶層ＬＣにしきい値以上の高い電圧が印加された状態では、電界に応じて変化する。液晶層ＬＣに電圧が印加されていない状態では、ポリマー３１及び液晶分子３２のそれぞれの光軸は互いに平行であり、液晶層ＬＣに入射した光は、液晶層ＬＣ内でほとんど散乱されることなく透過する（透明状態）。液晶層ＬＣに電圧が印加された状態では、ポリマー３１及び液晶分子３２のそれぞれの光軸は互いに交差し、液晶層ＬＣに入射した光は、液晶層ＬＣ内で散乱される（散乱状態）。
【００１２】
表示パネルＰＮＬは、画像を表示する表示部ＤＡと、表示部ＤＡを囲む額縁状の非表示部ＮＤＡと、を備えている。シールＳＥは、非表示部ＮＤＡに位置している。表示部ＤＡは、第１方向Ｘ及び第２方向Ｙにマトリクス状に配列された画素ＰＸを備えている。  
図１において拡大して示すように、各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇは、第１方向Ｘに並んだ画素ＰＸの各々におけるスイッチング素子ＳＷと電気的に接続されている。信号線Ｓは、第２方向Ｙに並んだ画素ＰＸの各々におけるスイッチング素子ＳＷと電気的に接続されている。画素電極ＰＥは、スイッチング素子ＳＷと電気的に接続されている。共通電極ＣＥは、複数の画素電極ＰＥに対して共通に設けられている。液晶層ＬＣ（特に、液晶分子３２）は、画素電極ＰＥと共通電極ＣＥとの間に生じる電界によって駆動される。容量ＣＳは、例えば、共通電極ＣＥと同電位の電極、及び、画素電極ＰＥと同電位の電極の間に形成される。
【００１３】
後に説明するが、走査線Ｇ、信号線Ｓ、スイッチング素子ＳＷ、及び、画素電極ＰＥは、第１基板ＳＵＢ１に設けられ、共通電極ＣＥは、第２基板ＳＵＢ２に設けられている。第１基板ＳＵＢ１において、走査線Ｇ及び信号線Ｓは、配線基板１あるいはＩＣチップ２と電気的に接続されている。
【００１４】
配線基板１及びＩＣチップ２は、第１基板ＳＵＢ１の延出部Ｅｘに実装されている。延出部Ｅｘは、第１基板ＳＵＢ１のうち第２基板ＳＵＢ２と重畳しない部分に相当する。配線基板１は、例えば折り曲げ可能なフレキシブルプリント回路基板である。ＩＣチップ２は、例えば、画像表示に必要な信号を出力するディスプレイドライバなどを内蔵している。なお、ＩＣチップ２は、配線基板１に実装されてもよい。
【００１５】
発光モジュール３は、平面視で延出部Ｅｘに重畳している。発光モジュール３は、複数の発光素子ＬＤを備えている。複数の発光素子ＬＤは、第１方向Ｘに沿って間隔をおいて並んでいる。
【００１６】
図２は、図１に示した表示パネルＰＮＬの一構成例を示す断面図である。  
第１基板ＳＵＢ１は、透明基板１０と、絶縁膜１１及び１２と、容量電極１３と、スイッチング素子ＳＷと、画素電極ＰＥと、配向膜ＡＬ１と、を備えている。透明基板１０は、主面（外面）１０Ａと、主面１０Ａの反対側の主面（内面）１０Ｂと、を備えている。スイッチング素子ＳＷは、主面１０Ｂ側に設けられている。絶縁膜１１は、主面１０Ｂに設けられ、スイッチング素子ＳＷを覆っている。なお、図１に示した走査線Ｇ及び信号線Ｓは、透明基板１０と絶縁膜１１との間に設けられているが、ここでは図示を省略している。容量電極１３は、絶縁膜１１及び１２の間に設けられている。画素電極ＰＥは、絶縁膜１２と配向膜ＡＬ１との間において、画素ＰＸ毎に設けられている。つまり、容量電極１３は、透明基板１０と画素電極ＰＥとの間に設けられている。画素電極ＰＥは、容量電極１３の開口部ＯＰを介してスイッチング素子ＳＷと電気的に接続されている。画素電極ＰＥは、絶縁膜１２を挟んで、容量電極１３と重畳し、画素ＰＸの容量ＣＳを形成している。配向膜ＡＬ１は、画素電極ＰＥを覆っている。配向膜ＡＬ１は、液晶層ＬＣに接している。
【００１７】
第２基板ＳＵＢ２は、透明基板２０と、共通電極ＣＥと、配向膜ＡＬ２と、を備えている。透明基板２０は、主面（内面）２０Ａと、主面２０Ａの反対側の主面（外面）２０Ｂと、を備えている。透明基板２０の主面２０Ａは、透明基板１０の主面１０Ｂと向かい合っている。共通電極ＣＥは、主面２０Ａに設けられている。配向膜ＡＬ２は、共通電極ＣＥを覆っている。配向膜ＡＬ２は、液晶層ＬＣに接している。なお、第２基板ＳＵＢ２において、スイッチング素子ＳＷ、走査線Ｇ、及び、信号線Ｓの直上にそれぞれ遮光層が設けられてもよい。また、透明基板２０と共通電極ＣＥとの間、あるいは、共通電極ＣＥと配向膜ＡＬ２との間に、透明な絶縁膜が設けられてもよい。共通電極ＣＥは、複数の画素ＰＸに亘って配置され、第３方向Ｚにおいて、複数の画素電極ＰＥと対向している。また、共通電極ＣＥは、容量電極１３と電気的に接続されており、容量電極１３とは同電位である。  
液晶層ＬＣは、画素電極ＰＥと共通電極ＣＥとの間に位置している。
【００１８】
透明基板１０及び２０は、例えばガラス基板であるが、プラスチック基板などの絶縁基板であってもよい。絶縁膜１１は、例えば、シリコン酸化物、シリコン窒化物、シリコン酸窒化物などの透明な無機絶縁膜、及び、アクリル樹脂などの透明な有機絶縁膜を含んでいる。絶縁膜１２は、シリコン窒化物などの透明な無機絶縁膜である。容量電極１３、画素電極ＰＥ、及び、共通電極ＣＥは、インジウム錫酸化物（ＩＴＯ）やインジウム亜鉛酸化物（ＩＺＯ）などの透明導電材料によって形成された透明電極である。配向膜ＡＬ１及びＡＬ２は、Ｘ−Ｙ平面に略平行な配向規制力を有する水平配向膜である。一例では、配向膜ＡＬ１及びＡＬ２は、第１方向Ｘに沿って配向処理されている。なお、配向処理とは、ラビング処理であってもよいし、光配向処理であってもよい。
【００１９】
図３は、本実施形態の表示装置ＤＳＰに適用可能なカバーガラス３０及び発光モジュール３を示す平面図である。
【００２０】
カバーガラス３０は、第１方向Ｘに沿って延出した第１側面３０Ｃ及び第２側面３０Ｄと、第２方向Ｙに沿って延出した第３側面３０Ｅ及び第４側面３０Ｆと、を有している。第１側面３０Ｃ及び第２側面３０Ｄは第２方向Ｙにおいて互いに向かい合い、第３側面３０Ｅ及び第４側面３０Ｆは第１方向Ｘにおいて互いに向かい合っている。第１側面３０Ｃは、第２方向Ｙにおいて、発光素子ＬＤと向かい合っている。第２側面３０Ｄには、反射材４０が設けられている。反射材４０は、第２側面３０Ｄの全体に亘って密着しており、第２側面３０Ｄとの間に空気層や粘着層等が介在していない。反射材４０は、第１側面３０Ｃ、第３側面３０Ｅ、及び、第４側面３０Ｆには設けられていない。反射材４０は、例えば、銀等の光反射性を有する金属材料によって形成される。
【００２１】
本実施形態では、第２側面３０Ｄの表面粗さは、第１側面３０Ｃの表面粗さより大きい。また、第３側面３０Ｅ及び第４側面３０Ｆの各々の表面粗さは、第２側面３０Ｄの表面粗さより小さい。一例では、第３側面３０Ｅ及び第４側面３０Ｆの各々の表面粗さは、第１側面３０Ｃの表面粗さと同等である。つまり、カバーガラス３０において、第２側面３０Ｄは、微細且つランダムな凹凸を有する粗面であり、第１側面３０Ｃ、第３側面３０Ｅ及び第４側面３０Ｆは、ほとんど凹凸のない平滑面、あるいは、鏡面である。  
本実施形態では、表面粗さとして、算術平均粗さ（Ｒａ）を採用している。この表面粗さＲａは、ＪＩＳ規格ＪＩＳ  Ｂ  ０６０１：２００１に規定される方法で測定することができる。例えば、第２側面３０Ｄは、０．３μｍより大きい表面粗さＲａを有している。第１側面３０Ｃ、第３側面３０Ｅ、及び、第４側面３０Ｆは、０．３μｍ以下の表面粗さを有している。
【００２２】
他の観点では、光拡散性の程度を示すヘイズ値に着目すると、第２側面３０Ｄは、第１側面３０Ｃより大きなヘイズ値を有している。また、第３側面３０Ｅ及び第４側面３０Ｆは、第１側面３０Ｃと同等のヘイズ値を有している。  
本実施形態のヘイズは、全光線透過率に対する拡散透過率の割合（拡散透過率／全光線透過率）として定義する。ヘイズ値は、例えば、ヘイズメータで測定することができる。例えば、第２側面３０Ｄは、１０％以上のヘイズ値を有している。第１側面３０Ｃ、第３側面３０Ｅ、及び、第４側面３０Ｆは、１０％未満のヘイズ値を有している。つまり、第２側面３０Ｄは、第１側面３０Ｃよりも高い光拡散性を有している。目視した際に、第２側面３０Ｄは、スリガラスのようにほぼ不透明に視認され、第１側面３０Ｃ、第３側面３０Ｅ、及び、第４側面３０Ｆは、ほぼ透明に視認される。
【００２３】
このような粗面の第２側面３０Ｄを備えたカバーガラス３０は、以下のようにして形成することができる。一例では、第２側面３０Ｄをフッ化水素酸によって化学的に加工することで、粗面を形成することができる。あるいは、第２側面３０Ｄを、粒度♯６００〜８００の回転砥石によって機械的に加工することで、粗面を形成することができる。その後、第２側面３０Ｄに銀等の金属材料を蒸着することにより、反射材４０を形成することができる。このようなカバーガラス３０は、後に、表示パネルＰＮＬに接着される。
【００２４】
なお、第３側面３０Ｅ及び第４側面３０Ｆが第２側面３０Ｄと同様の粗面であってもよいし、反射材４０が第３側面３０Ｅ及び第４側面３０Ｆに設けられていてもよい。
【００２５】
図４は、本実施形態の表示装置ＤＳＰの一構成例を示す断面図である。なお、表示パネルＰＮＬについては、主要部のみを図示している。
【００２６】
透明基板１０は、第２方向Ｙにおいて互いに向かい合う側面１０Ｃ及び１０Ｄを有している。透明基板２０は、第２方向Ｙにおいて互いに向かい合う側面２０Ｃ及び２０Ｄを有している。第１基板ＳＵＢ１の延出部Ｅｘは、側面１０Ｃと側面２０Ｃとの間の領域に相当する。側面１０Ｄ及び側面２０Ｄは、第３方向Ｚにおいて重畳している。
【００２７】
カバーガラス３０は、接着層ＡＤにより表示パネルＰＮＬに接着されている。すなわち、カバーガラス３０は、第３方向Ｚにおいて互いに向かい合う主面（内面）３０Ａ及び主面（外面）３０Ｂを有している。接着層ＡＤは、透明であり、透明基板２０の主面２０Ｂとカバーガラス３０の主面３０Ａとの間に介在している。カバーガラス３０は、透明基板１０及び２０と同等の屈折率を有している。接着層ＡＤの屈折率は、カバーガラス３０の屈折率より小さい。
【００２８】
図４に示す例では、カバーガラス３０の第１側面３０Ｃは、第３方向Ｚにおいて、透明基板２０の側面２０Ｃに重畳している。また、第２側面３０Ｄは、第３方向Ｚにおいて、透明基板１０の側面１０Ｄ及び透明基板２０の側面２０Ｄに重畳している。但し、第１側面３０Ｃは側面２０Ｃに対して第２方向Ｙにずれている場合があり、第２側面３０Ｄは側面２０Ｄに対して第２方向Ｙにずれている場合がある。  
第２側面３０Ｄの表面粗さは、上記の通り第１側面３０Ｃの表面粗さより大きく、また、側面１０Ｃ及び１０Ｄ、及び、側面２０Ｃ及び２０Ｄのそれぞれの表面粗さより大きい。
【００２９】
第２側面３０Ｄに設けられた反射材４０は、接着層ＡＤには接していない。また、反射材４０は、透明基板１０及び２０、及び、シールＳＥにも接していない。なお、側面１０Ｄ及び側面２０Ｄに、反射材４０とは別の反射材（例えば、粘着層を介して接着される反射テープ）が設けられてもよい。
【００３０】
発光モジュール３は、延出部Ｅｘに設けられている。発光素子ＬＤは、配線基板Ｆに電気的に接続されている。発光素子ＬＤは、例えば、発光ダイオードであり、詳述しないが、赤発光部、緑発光部、及び、青発光部を備えている。発光素子ＬＤは、第３方向Ｚにおいて、第１基板ＳＵＢ１と配線基板Ｆとの間に設けられている。また、発光素子ＬＤは、第２方向Ｙにおいて、側面２０Ｃ及び第１側面３０Ｃと向かい合い、これらの側面２０Ｃ及び第１側面３０Ｃに向かって発光する。なお、発光素子ＬＤと側面２０Ｃ及び第１側面３０Ｃとの間に、透明な導光体が設けられてもよい。
【００３１】
次に、図４を参照しながら、発光素子ＬＤから出射された光Ｌ１について説明する。  
発光素子ＬＤは、側面２０Ｃ及び第１側面３０Ｃに向かって光Ｌ１を出射する。光Ｌ１は、第２方向Ｙを示す矢印の向きに沿って伝播し、側面２０Ｃから透明基板２０に入射するとともに第１側面３０Ｃからカバーガラス３０に入射する。光Ｌ１は、繰り返し反射されながら、表示パネルＰＮＬの内部を伝播する。電圧が印加されていない液晶層ＬＣに入射した光Ｌ１は、ほとんど散乱されることなく液晶層ＬＣを透過する。また、電圧が印加された液晶層ＬＣに入射した光Ｌ１は、液晶層ＬＣで散乱される。表示装置ＤＳＰは、主面１０Ａ側から観察可能であるとともに、主面３０Ｂ側からも観察可能である。また、表示装置ＤＳＰが主面１０Ａ側から観察された場合であっても、主面３０Ｂ側から観察された場合であっても、表示装置ＤＳＰを介して、表示装置ＤＳＰの背景を観察可能である。
【００３２】
ところで、上述したように、接着層ＡＤの屈折率は、カバーガラス３０の屈折率より小さい。このため、カバーガラス３０に入射した光Ｌ１は、接着層ＡＤとカバーガラス３０との界面で反射され、透明基板２０及び液晶層ＬＣに到達しにくい。換言すると、カバーガラス３０を伝播する光Ｌ１のうち、主面３０Ａに到達した光のほとんどは全反射され、全反射条件から外れる入射角の光のみが透明基板２０及び液晶層ＬＣに到達する。カバーガラス３０において、繰り返し反射されながら伝播した光Ｌ１は、第２側面３０Ｄに到達する。第２側面３０Ｄが反射材４０によって覆われているため、第２側面３０Ｄに到達した光Ｌ１は、反射材４０によって反射されることで、再びカバーガラス３０に入射する。このとき、第２側面３０Ｄが粗面であるため、カバーガラス３０に入射した光は、上記の全反射条件から外れる入射角の光を含み、透明基板２０及び液晶層ＬＣに到達し、表示に寄与する。
【００３３】
第２側面３０Ｄが粗面ではなくしかも反射材４０によって覆われていない比較例では、第２側面３０Ｄに到達した光Ｌ１は、表示に寄与することなく、カバーガラス３０の外部に漏れ出す。また、たとえ第２側面３０Ｄが反射材４０によって覆われていたとしても、第２側面３０Ｄが粗面でない場合には、反射材４０からの反射光は、再びカバーガラス３０の内部を全反射しながら伝播し、表示に寄与しない。  
本実施形態によれば、比較例と比べて、カバーガラス３０から漏れ出した光を表示に寄与する光として再利用することができ、光の利用効率を向上することができる。
【００３４】
また、カバーガラス３０において、発光モジュール３の位置とは反対側に反射材４０が設けられており、表示パネルＰＮＬにおいて、発光モジュール３の位置とは反対側の領域が反射材４０からの反射光によって照明される。このため、発光モジュール３から離間した領域の輝度を向上することができる。したがって、比較例と比べて、発光モジュール３に近接した領域と、発光モジュール３から離間した領域とでの輝度の差を低減することができ、表示品位の低下が抑制される。
【００３５】
表示パネルＰＮＬとカバーガラス３０とを接着した際、発光素子ＬＤからの光Ｌ１の表示パネルＰＮＬ及びカバーガラス３０への入光を促進する観点では、第１側面３０Ｃは側面２０Ｃの直上に位置していることが望ましい。一方で、第２側面３０Ｄは、側面２０Ｄに対してずれる場合がある。  
側面１０Ｄ、側面２０Ｄ、及び、第２側面３０Ｄからの光の漏れを抑制するために、これらの３つの側面に反射テープを接着する場合、側面２０Ｄと第２側面３０Ｄとのずれに起因して、反射テープを均一に接着することが困難となりうる。また、側面２０Ｄと第２側面３０Ｄとの段差に空気層が介在して、反射テープの接着力の低下を招いたり、反射テープからの反射光が不均一となったりすることがありうる。  
本実施形態では、予め第２側面３０Ｄに反射材４０が密着したカバーガラス３０を表示パネルＰＮＬに接着している。このため、側面２０Ｄ及び第２側面３０Ｄに跨って反射テープを接着する必要がない。このため、上記の課題を解消することができる。
【００３６】
図５は、第２側面３０Ｄの一構成例を示す図である。図５の（Ａ）は平面図であり、図５の（Ｂ）は断面図である。  
第２側面３０Ｄは、複数の凹部ＣＣを有している。凹部ＣＣは、直径Ｄｍと、深さＤｐとを有している。一例では、直径Ｄｍは、０．３μｍ以下である。図５に示す例では、複数の凹部ＣＣは、マトリクス状に規則的に並んでいるが、この例に限らない。また、複数の凹部ＣＣが同一の直径Ｄｍを有しているが、隣接する凹部ＣＣが異なる直径を有していてもよい。また、複数の凹部ＣＣが同一の深さＤｐを有しているが、隣接する凹部ＣＣが異なる深さＤｐを有していてもよい。
【００３７】
このような凹部ＣＣが形成された第２側面３０Ｄでは、光が散乱されやすく、透過率が減少する。換言すると、カバーガラス３０の内部を伝播する光は、凹部ＣＣが形成された第２側面３０Ｄに到達した際に、第２側面３０Ｄを透過しにくく、第２側面３０Ｄで反射されやすくなる。つまり、第２側面３０Ｄが鏡面である場合と比較して、第２側面３０Ｄで反射される光の量が増加し、第２側面３０Ｄに到達した光を再利用することができる。
しかも、本実施形態によれば、第２側面３０Ｄは、反射材４０によって覆われている。このため、第２側面３０Ｄを透過した光も反射材４０によって反射され、再利用することができる。
【００３８】
以上説明したように、本実施形態によれば、光漏れを抑制することが可能なカバーガラス及び表示装置を提供することができる。
【００３９】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４０】
ＤＳＰ…表示装置  ＬＤ…発光素子
ＰＮＬ…表示パネル
ＳＵＢ１…第１基板  ＳＵＢ２…第２基板  ＬＣ…液晶層
３０…カバーガラス
３０Ｃ…第１側面  ３０Ｄ…第２側面
４０…反射材
【図１】
2020177731.tif 000003
【図２】
2020177731.tif 000004
【図３】
2020177731.tif 000005
【図４】
2020177731.tif 000006
【図５】
2020177731.tif 000007